(57)【要約】【課題】外装ケース内における素電池の位置を適正に維持しながら、素電池で発生する熱を高効率に外部に放熱でき、且つ、製造コストの低減を図ることができる電池パックを提供する。【解決手段】電池パックでは、複数の素電池１０１〜１０４の各々が、Ｙ軸方向における左上半分が第１ケース部材１１内に侵入し、Ｙ軸方向における右下半分が第２ケース部材１２内に侵入した状態となっている。また、電池パックでは、第１ケース部材１１において、隔壁１１ｃが一体形成されている。隔壁１１ｃは、筒底から筒開口に向けた方向（Ｙ軸方向）に立ち上がり、複数の素電池１０１〜１０４における各側面に当接する。なお、第２ケース部材１２にも同様の隔壁が形成されており、複数の素電池１０１〜１０４は、それら隔壁１１ｃ，・・との当接により、放熱および動きの規制がなされている。【選択図】図２
2011086475.tif 000002
【特許請求の範囲】
【請求項１】
各々が筒状の外観形状を有する複数の素電池と、
前記複数の素電池に対し、その側周面に当接あるいは近接された状態で取り付けられ、且つ、電気的に接続された基板と、
互いに有底筒状をした第１および第２のケース部材の突き合わせにより構成され、内部に前記複数の素電池および前記基板を収容する外装ケースと、
を備える電池パックであって、
前記複数の素電池の各々は、その筒軸方向において、一部が前記第１のケース部材内に侵入し、残りが前記第２のケース部材内に侵入した状態となっており、
前記第１および第２のケース部材の各々には、筒底から筒開口に向けた方向に立ち上がり、前記複数の素電池における各側周面の一部に当接する隔壁が、一体として設けられており、
前記複数の素電池は、前記隔壁との当接により、前記外装ケース内での動きが規制されている
ことを特徴とする電池パック。
【請求項２】
前記複数の素電池は、リード板を以って互いに電気的に接続されており、
前記第１および第２のケース部材の各々における前記隔壁は、前記複数の素電池が侵入する際に、前記リード板が通過する部分を避けて設けられている
ことを特徴とする請求項１に記載の電池パック。
【請求項３】
前記第１および第２のケース部材の各々には、筒底から筒開口に向けた方向に立ち上がり、前記基板の厚みに相当するスリットが設けられたリブが、一体として設けられており、
前記基板は、一方の縁部分が前記第１のケース部材における前記リブのスリット内に侵入して係止され、他方の縁部分が前記第２のケース部材における前記リブのスリット内に侵入して係止されることにより、前記外装ケース内での動きが規制されている
ことを特徴とする請求項１または２に記載の電池パック。
【請求項４】
前記基板には、その主面上に外部接続端子が実装されており、
前記第１および第２のケース部材の各々における前記リブは、複数形成されており、
前記一方の縁部分における前記リブとの複数の係止箇所と、前記他方の縁部分における前記リブとの複数の係止箇所とを結ぶ複数の仮想直線を想定するとき、
前記複数の仮想直線の内の少なくとも一本は、前記外部接続端子を横切る
ことを特徴とする請求項３に記載の電池パック。
【請求項５】
前記第１および第２のケース部材の各々には、前記基板における前記外部接続端子が実装された主面に対し対向関係にある側周壁において、前記外部接続端子の少なくとも一部を外部に露出させるための窓部が開設されている
ことを特徴とする請求項４に記載の電池パック。
【発明の詳細な説明】
【技術分野】
【０００１】
本発明は、電池パックに関し、特に外装ケースに対する素電池の取着構造に関する。
【背景技術】
【０００２】
電池パックは、電動工具や電動アシスト自転車、さらには電動バイクやハイブリッド自動車（ＨＥＶ）や電気自動車（ＰＥＶ）など広く用いられている（例えば、特許文献１を参照）。
従来技術に係る電池パックは、１または複数の素電池と、回路あるいは外部接続端子が設けられた基板とが、外装ケースに収納された構成を有する。ここで、従来技術に係る電池パックでは、素電池はインナーホルダが当接された状態で外装ケース内に収納されている。これは、使用中に電池パックに振動や衝撃が加わったような場合に、外装ケース内で素電池が移動することを防止し、また、使用中（充放電時）に素電池から発生する熱を吸収して、電池性能を維持するなどのために設けられているものである。
【０００３】
さらに、従来技術に係る電池パックにおいては、外装ケース内における基板の位置を適正な位置に保持するために、インナーホルダに対して基板が取り付けられていた。これにより、基板に設けられた外部接続端子が、外装ケースの一部に設けられた窓部から外部に露出し、当該状態が確実に維持される。
【先行技術文献】
【特許文献】
【０００４】
【特許文献１】特開２００６−１９６２７７号公報
【発明の概要】
【発明が解決しようとする課題】
【０００５】
しかしながら、電池パックに対しては、更なる高容量化および低コスト化が求められているが、上記従来技術に係る電池パックでは、素電池に当接されるインナーホルダがその阻害要因となっている。具体的には、素電池で発生した熱は当接されたインナーホルダに吸収されるが、インナーホルダと外装ケースとが別体であるために、その間での熱伝達が十分ではない。このため、インナーホルダを別体として備える上記従来技術に係る電池パックでは、素電池で発生した熱がインナーホルダを介して十分には外装ケースの外部へと放熱されず、放熱性という観点から問題を有する。特に、高容量化あるいは高出力化を図ろうとする際に、問題が顕著化する。
【０００６】
また、インナーホルダを別部材として備える上記従来技術に係る電池パックでは、部品コストおよび部品管理などの観点、さらには、製造における工数増加という観点などからコスト上昇の原因となる。
本発明は、上記課題の解決を図るべくなされたものであって、外装ケース内における素電池の位置を適正に維持しながら、素電池で発生する熱を高効率に外部に放熱でき、且つ、製造コストの低減を図ることができる電池パックを提供することを目的とする。
【課題を解決するための手段】
【０００７】
上記目的を達成するために、本発明は、次の特徴を備えることとした。
本発明に係る電池パックは、複数の素電池と、基板と、外装ケースとを備える。ここで、複数の素電池は、各々が筒状の外観形状を有する。また、基板は、組み合わされた状態の複数の素電池に対し、その側周面に当接あるいは近接（例えば、１［ｍｍ］〜５［ｍｍ］の間隔をあけた状態で配置）された状態で取り付けられ、且つ、電気的に接続されている。そして、外装ケースは、互いに有底筒状をした第１および第２のケース部材の突き合わせにより構成され、内部に複数の素電池および基板を収容する。
【０００８】
本発明に係る電池パックでは、上記構成において、複数の素電池の各々が、その筒軸方向において、一部が第１のケース部材内に侵入し、残りが第２のケース部材内に侵入した状態となっている。また、本発明に係る電池パックでは、第１および第２のケース部材の各々において、筒底から筒開口に向けた方向に立ち上がり、複数の素電池における各側面に当接する隔壁が、一体として設けられている。
【０００９】
本発明に係る電池パックでは、複数の素電池が、隔壁との当接により、外装ケース内での動きが規制されていることを特徴とする。
【発明の効果】
【００１０】
本発明に係る電池パックでは、複数の素電池の各側周面の一部に対し、第１および第２のケース部材の各々に一体的に設けられた隔壁が当接している。このため、本発明に係る電池パックでは、上記特許文献１に開示された電池パックのように、外装ケースとは別に設けられたインナーホルダが素電池の側周面に当接されている場合に比べ、素電池から発生した熱を高効率に外装ケース外へと放熱することができる。即ち、本発明に係る電池パックでは、隔壁が第１のケース部材および第２のケース部材と一体的に設けられているので、素電池から伝達された熱は、隔壁を伝わり、そのまま外装ケースの外表面から外部へと放熱される。よって、本発明に係る電池パックでは、素電池で発生した熱を高効率に第１および第２のケース部材に伝達し、さらにその外部へと放熱することができる。
【００１１】
また、本発明に係る電池パックでは、隔壁を第１および第２のケース部材と一体として設けているので、熱容量の増大を図ることができ、素電池で発生した熱の放熱という観点から優れる。
また、本発明に係る電池パックでは、隔壁を第１および第２のケース部材と一体として形成されているので、上記特許文献１のように別部材としてインナーホルダを備える場合に比べて、部品点数の削減を図ることができ、部品コストおよび部品の管理コストなどの観点、および製造時における工数の低減という観点などから優位である。
【００１２】
また、本発明に係る電池パックでは、複数の素電池の各々が、筒軸方向における一部が第１のケース部材内へと侵入し、残りの部分が第２のケース部材内へと侵入している。即ち、本発明に係る電池パックでは、第１のケース部材と第２のケース部材との突き合わせ面（外装ケースにおけるケースパートライン）が、素電池における筒軸に対し直交する面となっている。そして、本発明に係る電池パックでは、各隔壁が第１および第２のケース部材における筒底から他方との突き合わせ面に向けて立設されているので、先に素電池に対して基板を取り付けた状態としておいても、煩雑な作業を伴うことなく、隔壁に対して素電池の側周面が当接するように第１および第２のケース部材内に素電池を収容することができる。
【００１３】
なお、本発明に係る電池パックでは、複数の素電池が、隔壁の当接により外装ケース内での動きが規制されるので、別途、インナーホルダなどを備えなくても、外装ケース内における素電池の位置を適正に維持することができる。
以上のように、本発明に係る電池パックは、外装ケース内における素電池の位置を適正に維持しながら、素電池で発生する熱を高効率に外部に放熱でき、且つ、製造コストの低減を図ることが可能な構成である。
【００１４】
本発明に係る電池パックでは、一例として、次のようなバリエーションを採用することができる。
本発明に係る電池パックでは、上記構成において、複数の素電池が、互いにリード板を以って電気的に接続されており、第１および第２のケース部材の各々における隔壁が、複数の素電池が侵入する際に、リード板が通過する部分を避けて設けられているという構成を採用することができる。このような構成を採用することにより、本発明に係る電池パックの製造過程においては、予め素電池同士をリード板で接続しておき、当該状態で第１および第２のケース部材にそのまま収納することが可能となる。よって、上記構成を採用する場合には、製造時における作業の簡素化を図ることができ、製造コストという観点から優位である。
【００１５】
また、本発明に係る電池パックでは、上記構成において、第１および第２のケース部材の各々に、筒底から筒開口に向けた方向に立ち上がり、基板の厚みに相当するスリットが設けられたリブが、一体として設けられており、基板における一方の縁部分が第１のケース部材におけるリブのスリット内に侵入して係止され、他方の縁部分が第２のケース部材におけるリブのスリット内に侵入して係止されることにより、外装ケース内での動きが規制されているという構成を採用することができる。このような構成を採用する場合には、基板についても、第１および第２のケース部材への収納だけで、外装ケース内における位置を固定することが可能となる。
【００１６】
また、本発明に係る電池パックでは、上記構成において、基板の主面上に外部接続端子が実装されており、第１および第２のケース部材の各々におけるリブが複数形成された構成を採用することができる。そして、この場合において、基板における上記一方の縁部分におけるリブとの複数の係止箇所と、上記他方の縁部分におけるリブとの複数の係止箇所とを結ぶ複数の仮想直線を想定するとき、前記複数の仮想直線の内の少なくとも一本が、外部接続端子を横切るという構成を採用することができる。このような構成を採用する場合には、電池パックを機器に装着するときにおいて、基板に対し外部から押圧力が加わることになるが、上記少なくとも一本の仮想直線が外部接続端子を横切るので、当該仮想直線の両端に位置する箇所同士の間で外部接続端子が架設された状態となり、基板の撓みが抑えられることになる。よって、上記構成を採用する場合には、機器への装着時において、接続の確実を図ることができる。
【００１７】
なお、上記構成を採用する場合においては、第１および第２のケース部材の各々に、基板における外部接続端子が実装された主面に対し対向関係にある側周壁において、外部接続端子の少なくとも一部を外部に露出させるための窓部が開設されているという構成を採用することができる。この場合には、機器への装着に際して、基板に加わる外部からの押圧力が基板厚み方向となり、上記効果が顕著となる。  
【図面の簡単な説明】
【００１８】
【図１】実施の形態に係る電池パック１の外観構成を示す模式斜視図である。
【図２】電池パック１の内部構成を示す模式展開図である。
【図３】電池パック１の構成要素であるコアパック１０の構成を示す模式展開図である。
【図４】電池パック１における外装体の構成要素である第１ケース部材１１の内部構成を示す模式正面図である。
【図５】電池パック１における外装体の構成要素である第２ケース部材１２の内部構成を示す模式正面図である。
【図６】コアパック１０の構成要素である基板１１０に対し、第１ケース部材１１および第２ケース部材１２により係止される箇所を示す模式平面図である。
【発明を実施するための形態】
【００１９】
以下では、本発明を実施するための形態について、数例を示して説明する。なお、以下の説明で用いる実施の形態は、本発明の構成および作用・効果を分かりやすく説明するために用いる例示であって、  本発明は、その本質的部分以外に以下の形態に何ら限定を受けるものではない。
［実施の形態］
１．電池パック１の外観構成
実施の形態に係る電池パック１の外観構成について、図１を用い説明する。
【００２０】
図１に示すように、電池パック１の外観は、主として第１ケース部材１１と第２ケース部材１２との組み合わせを以って構成されている。第１ケース部材１１および第２ケース部材１２の各々には、Ｚ軸方向における上面に窓部１１ａ，１２ａが開設されている。これらの窓部１１ａ，１２ａを介して、外部接続端子（図１では、不図示）が外部露出されることになる。なお、第１ケース部材１１と第２ケース部材１２とは、接着剤、熱溶着、あるいは係止爪などでの係止などにより互いに接合されている。
【００２１】
また、電池パック１においては、第１ケース部材１１および第２ケース部材１２の各Ｚ軸方向上面に設けられた開口１１ｂ，１２ｂから、出没自在のフック１３が設けられている。フック１３は、機器との係合のために設けられており、外部から力が加えられない状態では、図１に示すように、Ｚ軸方向上方に突出した状態となっている。
一方、図１では、便宜上、図示を省略しているが、フック１３の背面にはレバー部が設けられており、ユーザがレバー部を押し下げることにより、フック１３がＺ軸方向下側に下降して、装着機器への係合状態が解除される。
【００２２】
２．電池パック１の内部構成
電池パック１の内部構成について、図２を用い説明する。
図２に示すように、電池パック１においては、第１および第２のケース部材１１，１２で構成される外装ケース内には、コアパック１０が収容されている。また、フック１３が、第１および第２のケース部材１１，１２の各開口１１ｂ，１２ｂから一部が突出する状態で、収容されている。
【００２３】
コアパック１０は、４本の円筒型の外観を有する素電池１０１〜１０４と基板１１０を主な要素として構成されている。コアパック１０の詳しい構成については、後述する。
第１ケース部材１１と第２ケース部材１２とは、ともに有底筒状をしており、開口縁辺１１ｉ，１２ｉ同士を突き合わせ、当該突き合わせ部分を接合することにより、外装ケースを構成している。また、第１ケース部材１１および第２ケース部材１２の各内方には、コアパック１０における各素電池１０１〜１０４の外観形状に対応した隔壁１１ｃが設けられている。なお、図示の都合上、第２ケース部材１２における隔壁の図示を省略している。
【００２４】
ここで、コアパック１０における素電池１０１〜１０４は、その筒軸方向における左半分の部分が第１ケース部材１１における隔壁１１ｃで囲まれて構成された筒内に収まり、同様に、右半分の部分が第２ケース部材１２における隔壁で囲まれて構成された筒内に収まる。そして、第１ケース部材１１と第２ケース部材１２との突き合わせ面（開口縁辺１１ｉと開口縁辺１２ｉとの接合面）が、素電池１０１〜１０４における筒軸に対し直交する面となっている。
【００２５】
３．コアパック１０の構成
コアパック１０の構成について、図３を用い説明する。
図３に示すように、コアパック１０には、円筒型の外観を有する４本の素電池１０１〜１０４が構成要素として含まれている。４本の素電池１０１〜１０４は、互いに同一のサイズであり、筒軸がＹ軸方向に揃えられている。図示を省略しているが、各素電池１０１〜１０４では、Ｙ軸方向左奥側の端面に正極端子が突設されている。素電池１０１〜１０４の正極端子には、リード板１０７，１０８などが接合されている。
【００２６】
一方、各素電池１０１〜１０４におけるＹ軸方向右手前側の端面は、負極端子となっており、リード板１０５，１０６で接続されている。そして、Ｘ軸方向に並設された４本の素電池１０１〜１０４に対しては、そのＺ軸方向上側を覆うように、基板１１０が配されている。４本の素電池１０１〜１０４と基板１１０とは、互いに、例えば、１［ｍｍ］〜５［ｍｍ］の間隙をあけた状態で近接配置されている。素電池１０１〜１０４と基板１１０とは、リード板１０５〜１０８により機械的および電気的に接合されている。
【００２７】
基板１１０におけるＺ軸方向上側主面１１０ａには、外部接続端子１１１が実装されている。外部接続端子１１１は、各々が板材の曲折を以って構成された複数の雌型をしている。
４．第１ケース部材１１および第２ケース部材１２の構成
第１ケース部材１１および第２ケース部材１２の構成について、図４および図５を用い説明する。
【００２８】
図４に示すように、第１ケース部材１１は、その内方に、隔壁１１ｃで構成された４つの素電池収容部１１ｅ〜１１ｈを備える。ここで、隔壁１１ｃは、各素電池収容部１１ｅ〜１１ｈに素電池１０１〜１０４が挿入された際に、それらの側周壁に対して密に当接（密着）することになる。
隔壁１１ｃは、コアパック１０が侵入してくる際に、リード板１０７，１０８がそれぞれ通過する部分（矢印Ａおよび矢印Ｂで示す部分）を避ける状態に設けられている。このように隔壁１１ｃを構成することにより、電池パック１の製造では、コアパック１０を予め作製した後に、コアパック１０の半分を一体として第１ケース部材１１に対して収容することができる。このため、製造時における作業性という観点から優れている。
【００２９】
また、第１ケース部材１１には、隔壁１１ｃが設けられた領域よりも、Ｚ軸方向上方に、Ｚ軸方向に延びる４本の係止リブ（糸リブ）１１ｄが設けられている。４本の係止リブ１１ｄには、Ｚ軸方向において同一レベルとなる箇所にスリットが設けられている（矢印Ｃ、矢印Ｄ、矢印Ｅおよび矢印Ｆ）。係止リブ１１ｄにおけるスリット幅は、基板１１０の板厚と略同一に設定されている。このため、図４の拡大部分に示すように、係止リブ１１ｄのスリット（矢印Ｆ）に対しては、基板１１０がその板厚方向に隙間なく（密に）係止される。
【００３０】
図５に示すように、第２ケース部材１２には、上記第１ケース部材１１と、互いの突き合わせ面を対象とする面対称の関係を以って形成されている。具体的には、第２ケース部材１２の内方には、隔壁１２ｃが一体形成されており、隔壁１２ｃで構成された４つの素電池収容部１２ｅ〜１２ｈが形成されている。これら素電池収容部１２ｅ〜１２ｈに素電池１０１〜１０４の各一部が挿入された際には、それらの側周壁に対して、隔壁１２ｃが密に当接（密着）することになる。
【００３１】
なお、図５に示すように、素電池１０１〜１０４に対するリード板１０５，１０６の接合箇所に対応して、それらが挿入時に通過する部分（矢印Ｇおよび矢印Ｈで示す部分）を避けて隔壁１２ｃが設けられているが、これらリード板１０５，１０６の通過のための部分（矢印Ｇおよび矢印Ｈで示す部分）の形成箇所が、上記第１ケース部材１１とはリード板１０５，１０６の接合箇所に応じて異なっている。
【００３２】
第２ケース部材１２においても、４本の係止リブ（糸リブ）１２ｄが形成されており、上記同様に、基板１１０の板厚に相当する幅のスリットが設けられている（矢印Ｉ、矢印Ｊ、矢印Ｋおよび矢印Ｌ）。図５では、図示を省略しているが、第２ケース部材１２における係止リブ１２ｄのスリットに対しても、基板１１０がその板厚方向に隙間なく（密に）係止される。
【００３３】
なお、電池パック１では、第１ケース部材１１および第２ケース部材１２は、ともに樹脂材料から構成されている。
５．第１ケース部材１１および第２ケース部材１２による基板１１０の係止形態
第１ケース部材１１および第２ケース部材１２による基板１１０の係止形態について、図６を用い説明する。
【００３４】
図６に示すように、基板１１０は、Ｙ軸方向左側の端辺１１０ｂの４箇所（矢印Ｍ、矢印Ｎ、矢印Ｏおよび矢印Ｐで示す箇所）が第１ケース部材１１における係止リブ１１ｄのスリットで係止され、Ｙ軸方向右側の端辺１１０ｃの４箇所（矢印Ｑ、矢印Ｒ、矢印Ｓおよび矢印Ｔで示す箇所）が第１ケース部材１２における係止リブ１２ｄのスリットで係止される。
【００３５】
ここで、基板１１０の主面には、外部接続端子１１１が実装されている。そして、端辺１１０ｂにおける係止箇所（矢印Ｍおよび矢印Ｎで示す箇所）と、端辺１１０ｃにおける係止箇所（矢印Ｑおよび矢印Ｒで示す箇所）とを仮想直線ＶＬ１〜ＶＬ４で結ぶとき、これら仮想直線ＶＬ１〜ＶＬ４は、外部接続端子１１１を横切ることになる。逆にいえば、第１ケース部材１１および第２ケース部材１２における係止リブ１１ｄ，１２ｄは、上記仮想直線ＶＬ１〜ＶＬ４が外部接続端子１１１を横切るように、設置箇所が規定されている。
【００３６】
６．優位性
本実施の形態に係る電池パック１では、コアパック１０の素電池１０１〜１０４の各側周面の一部に対し、第１ケース部材１１および第２ケース部材１２の各々に一体的に設けられた隔壁１１ｃ，１２ｃが当接している。このため、電池パック１では、上記特許文献１に開示された電池パックのように、外装ケースとは別のインナーホルダが素電池の側周面に当接されている場合に比べ、充放電時において素電池１０１〜１０４から発生した熱を高効率に外部へと放熱することができる。即ち、電池パック１では、隔壁１１ｃ，１２ｃが第１ケース部材１１および第２ケース部材１２に一体形成されているので、素電池１０１〜１０４から伝達された熱は、隔壁１１ｃ，１２ｃを伝わり、そのまま第１ケース部材１１および第２ケース部材１２の外表面から外部へと放熱される。よって、本実施の形態に係る電池パック１では、充放電時において素電池１０１〜１０４で発生した熱を高効率に外部へと放熱することができる。
【００３７】
また、電池パック１では、隔壁１１ｃを第１ケース部材１１に一体形成し、隔壁１２ｃを第２ケース部材１２に一体形成しているので、熱容量の増大を図ることができ、素電池１０１〜１０４で発生した熱の放熱という観点から優れる。また、このように隔壁１１ｃ、１２ｃをそれぞれ第１ケース部材１１および第２ケース部材１２に一体する場合には、上記特許文献１のように別部材としてインナーホルダを備える場合に比べて、部品点数の削減を図ることができ、部品コストおよび部品の管理コストなどの観点から優位である。
【００３８】
また、図２に示すように、電池パック１では、素電池１０１〜１０４の各々が、Ｙ軸方向における左半分の部分が第１ケース部材１１における素電池収容部１１ｅ〜１１ｈ内へと収容され（図４を参照）、残りの右半分の部分が第２ケース部材１２における素電池収容部１２ｅ〜１２ｈ内へと収容されている（図５を参照）。即ち、図２に示すように、電池パック１では、第１ケース部材１１と第２ケース部材１２との突き合わせ面（外装ケースにおけるケースパートライン）が、素電池１０１〜１０４における筒軸に対し直交する面となっている。そして、電池パック１では、各隔壁１１ｃ，１２ｃがそれぞれ第１ケース部材１１および第２ケース部材１２の筒底から立設されているので、先に素電池１０１〜１０４に対して基板１１０を取り付けコアパック１０を構成しておいても、煩雑な作業を伴うことなく、隔壁１１ｃ，１２ｃに対して素電池１０１〜１０４の側周面が当接するように第１ケース部材１１および第２ケース部材１２内の各素電池収容部１１ｅ〜１１ｈ、１２ｅ〜１２ｈに素電池１０１〜１０４を収容することができる。
【００３９】
なお、電池パック１では、素電池１０１〜１０４が、隔壁１１ｃ，１２ｃの当接により第１ケース部材１１および第２ケース部材１２で構成される内部空間での動きが規制されるので、別途、インナーホルダなどを備えなくても、使用時などにおいて素電池１０１〜１０４の位置を適正に維持することができる。
また、電池パック１では、第１ケース部材１１および第２ケース部材１２の各々における隔壁１１ｃ，１２ｃが、コアパック１０におけるリード板１０５〜１０８が通過する部分を避けて設けられている。このような構成により、電池パック１の製造過程においては、予め素電池１０１〜１０４間をリード板１０５〜１０８で接続しておき、当該状態で第１ケース部材１１および第２ケース部材１２に対して、そのまま収納することが可能となる。よって、電池パック１の製造においては、作業の簡素化を図ることができ、製造コストという観点から優位である。
【００４０】
また、電池パック１では、第１ケース部材１１および第２ケース部材１２の各々において、基板１１０の端辺１１０ｂ，１１０ｃの各４箇所（図６において、矢印Ｍ〜矢印Ｔで示す箇所）を係止するための係止リブ１１ｄ，１２ｄが設けられている。このような構成により、基板１１０についても、第１ケース部材１１および第２ケース部材１２への収納により、その端辺１１０ｂ，１１０ｃが係止リブ１１ｄ，１２ｄのスリットへと挿入されることになり、位置を固定することが可能となる。
【００４１】
さらに、図６に示すように、電池パック１では、基板１１０が第１ケース部材１１および第２ケース部材１２の各々における係止リブ１１ｄ，１２ｄのスリットにより係止される箇所（図６において、矢印Ｍ〜矢印Ｔで示す箇所）の内、矢印Ｍ、Ｎと矢印Ｑ、Ｒとを結ぶ仮想直線ＶＬ１〜ＶＬ４が外部接続端子１１１を横切るようになっている。このような構成により、電池パック１を機器に装着するときにおいて、係止箇所（矢印Ｍ、Ｎと矢印Ｑ、Ｒ）同士の間で外部接続端子１１１が架設されたのと同様の状態となり、基板１１０の撓みが抑えられることになる。よって、電池パック１では、機器への装着時において、接続の確実を図ることができる。
【００４２】
［その他の事項］
上記実施の形態では、コアパック１０の構成中に円筒型の４本の素電池１０１〜１０４を包含することとしたが、素電池の形状および構成本数については、これに限定されない。例えば、角筒状の外観形状を有する素電池を採用することもでき、この場合には、第１ケース部材１１および第２ケース部材１２における各隔壁１１ｃ，１２ｃの形態を対応して変更すればよい。また、素電池の本数についても、３本以下であってもよく、逆に５本以上であってもよい。
【００４３】
また、図１に示すように、電池パック１では、Ｚ軸方向上側に外部接続端子１１１のための窓部１１ａ，１２ａを設けているが、窓部を設ける位置は必ずしもこれに限定されない。例えば、Ｘ軸方向左手前側などに設けてもよいし、Ｙ軸方向右手前などに設けてもよい。
また、図４および図５に示すように、電池パック１では、第１ケース部材１１および第２ケース部材１２に基板１１０を係止するための係止リブ１１ｄ，１２ｄを設けることとしたが、これらは必ずしも必須の構成要素ではない。ただし、上記実施の形態に係る構成を採用する場合には、別途、ネジなどで基板１１０を固定する場合に比べて、部品数の削減が可能であり、製造コストという観点からの効果を得ることはできる。
【００４４】
また、電池パック１では、第１ケース部材１１および第２ケース部材１２の各々の隔壁１１ｃ，１２ｃの形状を、素電池１０１〜１０４の外周壁に密着するようにしたが、少なくとも各素電池１０１〜１０４の外周壁の一部に当接するようにしておけば、当該当接された部分から熱を逃がすことができ、また、素電池１０１〜１０４の動きを規制するという効果を得ることができる。
【００４５】
また、電池パック１では、素電池１０１〜１０４と基板１１０とが互いに間隔をあけて近接配置された状態としたが、これに限らず、互いに接触していてもよい。このような形態を採用する場合には、、隔壁１１ｃ，１２ｃや係止リブ１１ｄ，１２ｄの形状や寸法を適宜変更することで、上記効果を得ることができる。
【産業上の利用可能性】
【００４６】
本発明は、高い信頼性と低コスト化との両立を図ることができる電池パックを実現するのに有用である。
【符号の説明】
【００４７】
１．電池パック
１０．コアパック
１１．第１ケース部材
１１ｃ．隔壁
１１ｄ．係止リブ
１２．第２ケース部材
１２ｃ．隔壁
１２ｄ．係止リブ
１３．フック
１０１〜１０４．素電池
１０５〜１０８．リード板
１１０．基板
１１１．外部接続端子
【図１】
2011086475.tif 000003
【図２】
2011086475.tif 000004
【図３】
2011086475.tif 000005
【図４】
2011086475.tif 000006
【図５】
2011086475.tif 000007
【図６】
2011086475.tif 000008